(57)【要約】【目的】  カメラ機能付き携帯電話もしくは電子カメラによって写真撮影する際に、シャッターを押すと同時に、指定するメールアドレスや特定のパーソナルコンピューターあるいはサーバーに、撮影画像データを伝送する撮影方法を提供する。【構成】  カメラ機能付き携帯電話では、シャッターを押すと同時に、あらかじめ設定したメールアドレスに画像を伝送する。また、インターネット接続機能もしくは携帯電話機能を有する装置を内蔵した電子カメラによって写真撮影する際に、シャッターを押すと同時に、あらかじめ設定したメールアドレスや特定のパーソナルコンピューターあるいはサーバーに、撮影画像データを、インターネットを介して伝送する。【選択図】図１
2007325240.tif 000002
【特許請求の範囲】
【請求項１】
写真撮影機能付き携帯電話によって写真撮影する際に、シャッターを押すと同時に、あらかじめ設定したメールアドレスや特定のパーソナルコンピューターあるいはサーバーに撮影画像データを、インターネットを介して伝送する方法。
【請求項２】
無線インターネット接続機能もしくは携帯電話機能を有する伝送装置を内蔵させた電子カメラによって写真撮影する際、シャッターを押すと同時に、あらかじめ指定したメールアドレスや特定のパーソナルコンピューターあるいはサーバーに撮影画像データを、インターネットを介して伝送する方法。
【発明の詳細な説明】
【技術分野】
【０００１】  本発明は、写真撮影機能付き携帯電話もしくは無線インターネット接続機能を内蔵した電子カメラによって、写真撮影シャッターを押すと同時に、あらかじめ設定したメールアドレスや特定のパーソナルコンピューターあるいはサーバーに、撮影した画像データを、インターネットを介して送付する方法である。
【背景技術】
【０００２】  従来技術では、写真撮影機能付き携帯電話で撮影された画像データは一旦携帯電話に保存される。保存された画像データは、メール送付の添付データとしてあて先のアドレスを指定した上で、送付を指示することではじめて、メールと共にインターネットを介して送付される。
【非特許文献１】「ＮＴＴドコモ  ＦＯＲＭ  ＳＯ９０２ｉ  取扱説明書」ＮＴＴドコモグループ、２００６年、ｐ．１３２
【０００３】  さらに、従来の電子カメラでは、撮影された画像データは写真機内の保存媒体に保存される。保存された画像データは、ケーブルや赤外線伝送装置を介してパーソナルコンピューターなどに接続し、データを望みの保存媒体に伝送する。
【非特許文献２】「ＳＯＮＹ  サイバーショット取扱説明書  サイバーショット基本編」ソニー株式会社、２００４年、ｐ．５１
【発明の開示】
【発明が解決しようとする課題】
【０００４】  上述したように、従来の写真撮影機能付き携帯電話では、撮影された画像データは一旦携帯電話に保存される。保存された画像データは、メール送付の添付データとしてあて先のアドレスをキーボードから入力するかリストから選択し、指定した上で、送付先を設定することではじめて、メールの添付書類としてインターネットを介して送付される。従って、この従来の送付装置では、シャッターを押した後、何段階かのキーボード入力をしなければ画像データは送付されないという欠点を有している。【０００５】  また、電子カメラでは、撮影後にケーブルや赤外線伝送装置を介してパーソナルコンピューターと接続しないと他のデータ保存媒体に画像データを移送できないという欠点を有している。【０００６】  本発明は、上記従来の問題に鑑みてなされたものであって、写真撮影機能付き携帯電話もしくは電子カメラで撮影された画像を、シャッターが押されると同時に、あらかじめ指定したメールアドレスやパーソナルコンピューターもしくはサーバーに送付する送信方法を提供することを目的としている。
【課題を解決するための手段】
【０００７】  本発明は、上記課題を解決するために提案されたものであって、本発明の第１の形態は、写真撮影機能付き携帯電話によって、シャッターを押すと同時に、あらかじめ設定したメールアドレスや特定のパーソナルコンピューターあるいはサーバーに、撮影した画像データを送付する方法である。【０００８】  本発明の第２の形態は、無線インターネット接続機能あるいは携帯電話機能を有する伝送装置を、電子カメラに内蔵しさせることにより、電子カメラによって写真撮影する際、シャッターを押すと同時に、あらかじめ指定したメールアドレスや特定のパーソナルコンピューターあるいはサーバーに撮影画像データを、インターネットを介して送付する方法である。
【発明の効果】
【０００９】  本発明の第１の形態によれば、シャッターを押すだけで携帯電話のメール送付機能により撮影画像を望みのメールアドレスや特定のパーソナルコンピューターあるいはサーバーに、インターネットを介して送付できる。また、撮影画像データは、その都度、好みの保存媒体に伝送し保存することが可能になる。【００１０】  本発明の第２の形態によれば、無線インターネット接続機能あるいは携帯電話機能を有する伝送装置を内蔵した電子カメラによって写真撮影する際、シャッターを押すと同時に、あらかじめ指定したメールアドレスや特定のパーソナルコンピューターあるいはサーバーに撮影画像データを、インターネットを介して送付することができる。また、撮影画像データは、その都度、好みの保存媒体に伝送し保存することが可能になる。【００１１】  したがって、写真撮影機能付き携帯電話や電子カメラには、画像保存機能は不要となるか、容量を小さくできる。また、従来のように、保存媒体のデータを撮影後に、他の保存媒体に移す必要もなくなる。
【発明を実施するための最良の形態】
【００１２】  以下、本発明に係る撮影画像データの伝送方法の実施の形態を、添付する図１〜図２に基づいて詳細に説明する。【００１３】  図１は本発明に係る撮影画像の伝送方法を有する携帯電話１の構成図である。
携帯電話１のシャッター２を押すことで、撮影装置３によって撮影された画像データは、シャッター２を押すと同時に、あらかじめ伝送先設定装置４によって設定したメールアドレスや特定のパーソナルコンピューターあるいはサーバーなど外部記憶装置６に、画像データ伝送装置５により、インターネットを介して伝送される。【００１４】  図２は本発明に係る撮影画像の伝送方法を有する電子カメラ７の構成図である。
電子カメラ７のシャッター８を押すことで、撮影装置９によって撮影された画像データは、シャッター８を押すと同時に、あらかじめ伝送先設定装置１０によって設定したメールアドレスや特定のパーソナルコンピューターあるいはサーバーなど外部記憶装置１３に、画像データ伝送装置１１とインターネット接続装置１２により、インターネットを介して伝送される。
【産業上の利用可能性】
【００１５】  この発明に係る撮影画像の伝送方法は、一般の携帯電話や電子カメラのユーザーだけでなく、画像の簡便な伝送方法としても利用できる。
【図面の簡単な説明】
【００１６】
【図１】本発明に係る撮影画像の伝送方法を有する携帯電話の構成を示す図である。
【図２】本発明に係る撮影画像の伝送方法を有する電子カメラの構成を示す図である。
【符号の説明】
【００１７】  １      携帯電話（カメラ機能付き）
２      シャッター
３      撮影装置
４      伝送先設定装置
５      画像データ伝送装置
６      外部記憶装置
７      電子カメラ
８      シャッター
９      撮影装置
１０      伝送先設定装置
１１      画像データ伝送装置
１２      インターネット接続装置
１３      外部記憶装置
【図１】
2007325240.tif 000003
【図２】
2007325240.tif 000004